(57)【要約】【課題】透析治療時の安全性を向上させることができるとともに、消毒動作の自動化を容易とすることができる透析治療用システム及びその消毒方法を提供する。【解決手段】清浄水を生成し得る清浄水生成装置１と、該清浄水生成装置１にて生成された清浄水が供給され、当該清浄水を用いて所定濃度の透析液の調製又は透析用原液の作製を行い得る被供給装置２と、清浄水生成装置１で生成された清浄水を被供給装置２に供給する水供給路Ｌ５とを具備した透析治療用システムにおいて、清浄水生成装置１は、熱水消毒液を生成する熱水消毒液生成手段を具備し、当該熱水消毒液生成手段にて生成された熱水消毒液を水供給路Ｌ５を介して被供給装置２に供給するものである。【選択図】図１
2008023325.tif 000002
【特許請求の範囲】
【請求項１】
清浄水を生成し得る清浄水生成装置と、
該清浄水生成装置にて生成された清浄水が供給され、当該清浄水を用いて所定濃度の透析液の調製又は透析用原液の作製を行い得る被供給装置と、
前記清浄水生成装置で生成された清浄水を前記被供給装置に供給する水供給路と、
を具備した透析治療用システムにおいて、
前記清浄水生成装置は、熱水消毒液を生成する熱水消毒液生成手段を具備し、当該熱水消毒液生成手段にて生成された熱水消毒液を水供給路を介して前記被供給装置に供給することを特徴とする透析治療用システム。
【請求項２】
前記清浄水生成装置は、生成した清浄水を循環させる第１循環流路と、該第１循環流路を流れる清浄水を加熱して熱水消毒液を生成し得る加熱手段とを具備したことを特徴とする請求項１記載の透析治療用システム。
【請求項３】
前記第１循環流路に対してクエン酸を供給するクエン酸供給手段を具備し、熱水消毒液としてクエン酸熱水を生成することを特徴とする請求項２に記載の透析治療用システム。
【請求項４】
前記清浄水生成装置及び被供給装置の各運転状態を検出するとともに、前記熱水消毒液による消毒時、当該清浄水生成装置の運転と被供給装置の運転とを連携させるための情報を送受信可能な制御手段を具備したことを特徴とする請求項１〜請求項３の何れか１つに記載の透析治療用システム。
【請求項５】
前記被供給装置は、前記清浄水生成装置から供給された清浄水を用いて所定濃度の透析液を調製し得るとともに、その透析液を、患者に透析治療を施すための血液浄化器に応じて複数設置されて透析液を各血液浄化器に供給するための透析用監視装置に供給するための透析液供給装置から成り、前記清浄水生成装置で生成された熱水消毒液が前記透析液供給装置、透析用監視装置に順次送液されることを特徴とする請求項１〜請求項４の何れか１つに記載の透析治療用システム。
【請求項６】
前記透析液供給装置と透析用監視装置との間には、熱水消毒液を循環させる第２循環流路と、該第２循環流路を循環する熱水消毒液を加温して所定温度に保持する保温手段とが形成されたことを特徴とする請求項５記載の透析治療用システム。
【請求項７】
清浄水を生成し得る清浄水生成装置と、
該清浄水生成装置にて生成された清浄水が供給され、当該清浄水を用いて所定濃度の透析液の調製又は透析用原液の作製を行い得る被供給装置と、
前記清浄水生成装置で生成された清浄水を前記被供給装置に供給する水供給路と、
を具備した透析治療用システムの消毒方法において、
前記清浄水生成装置で熱水消毒液を生成し、その熱水消毒液を水供給路を介して前記被供給装置に送り、当該被供給装置を消毒することを特徴とする透析治療用システムの消毒方法。
【請求項８】
前記清浄水生成装置にて生成した清浄水を循環させつつ加熱して熱水消毒液を生成することを特徴とする請求項７記載の透析治療用システムの消毒方法。
【請求項９】
循環する清浄水にクエン酸を供給して熱水消毒液としてのクエン酸熱水を生成することを特徴とする請求項８記載の透析治療用システムの消毒方法。
【請求項１０】
前記清浄水生成装置及び被供給装置の各運転状態を検出するとともに、前記熱水消毒液による消毒時、当該清浄水生成装置の運転と被供給装置の運転とを連携させるための情報を送受信することを特徴とする請求項７〜請求項９の何れか１つに記載の透析治療用システムの消毒方法。
【請求項１１】
前記被供給装置は、前記清浄水生成装置から供給された清浄水を用いて所定濃度の透析液を調製し得るとともに、その透析液を、患者に透析治療を施すための血液浄化器に応じて複数設置されて透析液を各血液浄化器に供給するための透析用監視装置に供給するための透析液供給装置から成り、前記清浄水生成装置で生成された熱水消毒液を前記透析液供給装置、透析用監視装置に順次送液することを特徴とする請求項７〜請求項１０の何れか１つに記載の透析治療用システムの消毒方法。
【請求項１２】
前記透析液供給装置と透析用監視装置との間の循環流路にて熱水消毒液を循環させるとともに、その循環する熱水消毒液を加温して所定温度に保持することを特徴とする請求項１１記載の透析治療用システムの消毒方法。
【発明の詳細な説明】
【技術分野】
【０００１】
本発明は、清浄水生成装置にて清浄水を生成し、その清浄水を用いて所定濃度の透析液を調製又は透析用原液を作製し得る被供給装置を具備した透析治療用システム及びその消毒方法に関するものである。
【背景技術】
【０００２】
一般に、透析治療用システムは、病院等医療現場における機械室に透析液供給装置を設置しておき、これとは別の場所である透析室（治療室）に透析用監視装置を設置するとともに、これら透析液供給装置と透析用監視装置とを配管で連結させて構成されている。透析液供給装置は、清浄水が供給されて所定濃度の透析液を調製するものである一方、透析用監視装置は、患者に透析治療を施すための血液浄化器（ダイアライザ）の数に対応して複数設置され、透析液供給装置で調製された透析液を配管を介して導入し、血液浄化器に供給する。
【０００３】
即ち、機械室に設置された一つの透析液供給装置から透析室に設置された複数の透析用監視装置に分配して透析液を送液し、それぞれにおいてダイアライザに透析液を供給するよう構成されているのである。このように中央で調製された透析液を各透析用監視装置に分配するシステムは、通常、「透析治療用セントラルシステム」と称される。因みに、血液浄化器毎（即ち透析治療患者の各々）に透析液の調製及び供給を行い得るものを個人用透析装置ということから、これら（清浄水を用いて粉末状透析用薬剤を溶解して所定濃度の透析用原液を作製する溶解装置も含む）を総称して透析治療用システムと呼ぶこととする。
【０００４】
ところで、透析治療用システムにおける清浄水及び透析液が流通する流路に対しては、衛生維持の観点から、洗浄及び消毒を行う必要があり、消毒液として例えば次亜塩素酸ナトリウムなど塩素系消毒洗浄剤が用いられている。そして、洗浄水による洗浄が行われた後、消毒を行うには、従来、透析液供給装置に消毒液を供給し、当該透析液供給装置から配管を経て透析用監視装置まで流動させていた（例えば、特許文献１参照）。
【０００５】
即ち、透析液供給装置、透析用監視装置及びそれらを連結する配管における清浄水や透析液の流通経路に沿って消毒液を流通させることにより、その流通過程で透析液等の流通経路（具体的には流路を構成する内壁）を消毒し、これにより、清浄水や透析液の流路経路全般に亘って消毒していたのである。
【特許文献１】特開２００３−２６０１３１号公報
【発明の開示】
【発明が解決しようとする課題】
【０００６】
しかしながら、上記従来の透析治療用システムにおいては、以下の如き問題があった。即ち、消毒液として例えば次亜塩素酸ナトリウムなど塩素系消毒洗浄剤を用いた場合、当該消毒液が流路に残留していると、その後、透析治療を行うときに透析液や透析用原液に混入してしまう可能性があり、安全上好ましくなかった。かかる塩素系消毒洗浄剤に代えて、熱水消毒液（熱水など）を用いて消毒を行うことも考えられるが、その場合、予め加熱した熱水消毒液を別途生成しておく必要があるため、透析治療用システムにおける消毒動作の自動化が困難となってしまう。
【０００７】
本発明は、このような事情に鑑みてなされたもので、透析治療時の安全性を向上させることができるとともに、消毒動作の自動化を容易とすることができる透析治療用システム及びその消毒方法を提供することにある。
【課題を解決するための手段】
【０００８】
請求項１記載の発明は、清浄水を生成し得る清浄水生成装置と、該清浄水生成装置にて生成された清浄水が供給され、当該清浄水を用いて所定濃度の透析液の調製又は透析用原液の作製を行い得る被供給装置と、前記清浄水生成装置で生成された清浄水を前記被供給装置に供給する水供給路とを具備した透析治療用システムにおいて、前記清浄水生成装置は、熱水消毒液を生成する熱水消毒液生成手段を具備し、当該熱水消毒液生成手段にて生成された熱水消毒液を水供給路を介して前記被供給装置に供給することを特徴とする。
【０００９】
請求項２記載の発明は、請求項１記載の透析治療用システムにおいて、前記清浄水生成装置は、生成した清浄水を循環させる第１循環流路と、該第１循環流路を流れる清浄水を加熱して熱水消毒液を生成し得る加熱手段とを具備したことを特徴とする。
【００１０】
請求項３記載の発明は、請求項２に記載の透析治療用システムにおいて、前記第１循環流路に対してクエン酸を供給するクエン酸供給手段を具備し、熱水消毒液としてクエン酸熱水を生成することを特徴とする。
【００１１】
請求項４記載の発明は、請求項１〜請求項３の何れか１つに記載の透析治療用システムにおいて、前記清浄水生成装置及び被供給装置の各運転状態を検出するとともに、前記熱水消毒液による消毒時、当該清浄水生成装置の運転と被供給装置の運転とを連携させるための情報を送受信可能な制御手段を具備したことを特徴とする。
【００１２】
請求項５記載の発明は、請求項１〜請求項４の何れか１つに記載の透析治療用システムにおいて、前記被供給装置は、前記清浄水生成装置から供給された清浄水を用いて所定濃度の透析液を調製し得るとともに、その透析液を、患者に透析治療を施すための血液浄化器に応じて複数設置されて透析液を各血液浄化器に供給するための透析用監視装置に供給するための透析液供給装置から成り、前記清浄水生成装置で生成された熱水消毒液が前記透析液供給装置、透析用監視装置に順次送液されることを特徴とする。
【００１３】
請求項６記載の発明は、請求項５記載の透析治療用システムにおいて、前記透析液供給装置と透析用監視装置との間には、熱水消毒液を循環させる第２循環流路と、該第２循環流路を循環する熱水消毒液を加温して所定温度に保持する保温手段とが形成されたことを特徴とする。
【００１４】
請求項７記載の発明は、清浄水を生成し得る清浄水生成装置と、該清浄水生成装置にて生成された清浄水が供給され、当該清浄水を用いて所定濃度の透析液の調製又は透析用原液の作製を行い得る被供給装置と、前記清浄水生成装置で生成された清浄水を前記被供給装置に供給する水供給路とを具備した透析治療用システムの消毒方法において、前記清浄水生成装置で熱水消毒液を生成し、その熱水消毒液を水供給路を介して前記被供給装置に送り、当該被供給装置を消毒することを特徴とする。
【００１５】
請求項８記載の発明は、請求項７記載の透析治療用システムの消毒方法において、前記清浄水生成装置にて生成した清浄水を循環させつつ加熱して熱水消毒液を生成することを特徴とする。
【００１６】
請求項９記載の発明は、請求項８記載の透析治療用システムの消毒方法において、循環する清浄水にクエン酸を供給して熱水消毒液としてのクエン酸熱水を生成することを特徴とする。
【００１７】
請求項１０記載の発明は、請求項７〜請求項９の何れか１つに記載の透析治療用システムの消毒方法において、前記清浄水生成装置及び被供給装置の各運転状態を検出するとともに、前記熱水消毒液による消毒時、当該清浄水生成装置の運転と被供給装置の運転とを連携させるための情報を送受信することを特徴とする。
【００１８】
請求項１１記載の発明は、請求項７〜請求項１０の何れか１つに記載の透析治療用システムの消毒方法において、前記被供給装置は、前記清浄水生成装置から供給された清浄水を用いて所定濃度の透析液を調製し得るとともに、その透析液を、患者に透析治療を施すための血液浄化器に応じて複数設置されて透析液を各血液浄化器に供給するための透析用監視装置に供給するための透析液供給装置から成り、前記清浄水生成装置で生成された熱水消毒液を前記透析液供給装置、透析用監視装置に順次送液することを特徴とする。
【００１９】
請求項１２記載の発明は、請求項１１記載の透析治療用システムの消毒方法において、前記透析液供給装置と透析用監視装置との間の循環流路にて熱水消毒液を循環させるとともに、その循環する熱水消毒液を加温して所定温度に保持することを特徴とする。
【発明の効果】
【００２０】
請求項１及び請求項７の発明によれば、熱水消毒液にて消毒するため、透析治療時の安全性を向上させることができるとともに、清浄水生成装置で熱水消毒液を生成し、その熱水消毒液を水供給路を介して被供給装置に送り、当該被供給装置を消毒するので、消毒動作の自動化を容易とすることができる。
【００２１】
請求項２及び請求項８の発明によれば、清浄水生成装置にて生成した清浄水を循環させつつ加熱して熱水消毒液を生成するので、効率よく熱水消毒液を生成することができる。
【００２２】
請求項３及び請求項９の発明によれば、循環する清浄水にクエン酸を供給して熱水消毒液としてのクエン酸熱水を生成するので、単一種類の消毒液にて流路の消毒に加え炭酸カルシウム除去を行うことができるとともに、次亜塩素酸ナトリウム等人体に影響のある物質の残留の虞がなく、透析治療時の安全性をより向上させることができる。
【００２３】
請求項４及び請求項１０の発明によれば、清浄水生成装置及び被供給装置の各運転状態を検出するとともに、熱水消毒液による消毒時、当該清浄水生成装置の運転と被供給装置の運転とを連携させるための情報を送受信するので、効率のよい消毒動作を行わせることができる。
【００２４】
請求項５及び請求項１１の発明によれば、被供給装置は、清浄水生成装置から供給された清浄水を用いて所定濃度の透析液を調製し得るとともに、その透析液を、患者に透析治療を施すための血液浄化器に応じて複数設置されて透析液を各血液浄化器に供給するための透析用監視装置に供給するための透析液供給装置から成り、清浄水生成装置で生成された熱水消毒液を透析液供給装置、透析用監視装置に順次送液するので、熱水消毒液の使用量を更に抑制しつつ、より効率的に消毒動作を行わせることができる。
【００２５】
請求項６及び請求項１２の発明によれば、透析液供給装置と透析用監視装置との間の循環流路にて熱水消毒液を循環させるとともに、その循環する熱水消毒液を加温して所定温度に保持するので、透析用監視装置に送液される熱水消毒液の温度が低下して消毒作用が劣化してしまうのを回避することができる。
【発明を実施するための最良の形態】
【００２６】
以下、本発明の実施形態について図面を参照しながら具体的に説明する。
第１の実施形態に係る透析治療用システムは、透析用原液（Ａ原液及びＢ原液）を作製又は透析液（Ａ液及びＢ液）を調製し得るものであり、図１に示すように、清浄水生成装置１と、透析液供給装置６（多人数用透析液供給装置）、溶解装置７及び個人用透析装置８から成る被供給装置２と、制御手段９とから主に構成されている。
【００２７】
清浄水生成装置１は、濾過膜等を内在したモジュール３（浄化濾過器）と、所定容量の貯槽４と、該貯槽４内に配設されたヒータ５（加熱手段）とを具備し、モジュール３内に対して供給路Ｌ１から導入した原水を通過させて濾過することにより、清浄水（ＲＯ水）を生成し得るよう構成されている。得られた清浄水は、流路Ｌ２を介して貯槽４に至り、当該貯槽４にて所定量収容されるようになっている。
【００２８】
貯槽４からは、流路Ｌ３、Ｌ４から成る第１循環流路が延設されており、流路Ｌ３の上流側にはポンプＰ１が接続されている。これにより、貯槽４に収容された清浄水は、ヒータ５にて加熱されつつ第１循環流路を循環し得ることとなり、例えば８０℃以上の熱水（熱水消毒液）を生成することができる。即ち、本実施形態においては、熱水を熱水消毒液として用いることとなる。尚、第１循環流路及びヒータ５は、本発明の熱水消毒液生成手段を構成している。
【００２９】
第１循環流路を構成する流路Ｌ３からは、清浄水生成装置１で生成された清浄水を各被供給装置２（透析液供給装置６、溶解装置７及び個人用透析装置８）にそれぞれ供給するための水供給路Ｌ５が接続されている。然るに、透析治療時には、清浄水が第１循環流路を循環しつつ水供給路Ｌ５から各被供給装置２に供給されるとともに、消毒時には、第１循環流路を循環しつつヒータ５にて加熱された熱水消毒液が水供給路Ｌ５から各被供給装置２に供給されることとなる。尚、清浄水生成装置１で生成された清浄水は、被供給装置２にて透析液を調製又は透析用原液を作製する際に用いられたり或いは各被供給装置２の流路を洗浄する洗浄水としても用いられる。
【００３０】
溶解装置７は、水供給路Ｌ５と連通した清浄水の流路Ｌ９、水供給路Ｌ５及び流路Ｌ９を開閉する電磁バルブＶ及び透析用原液の流路Ｌ１０を具備し、供給された清浄水に粉末状透析用薬剤を溶解させて所定濃度の透析用原液を作製するものである。この溶解装置７にて作製された透析用原液は、透析液供給装置６に供給され、そこで更に清浄水により希釈されて所定濃度の透析液とされる。尚、図中Ｌ５ａは、溶解装置７近傍で水供給路Ｌ５から枝分かれした廃液ラインを示しており、当該廃液ラインＬ５ａの途中に電磁バルブＶが接続されている。
【００３１】
個人用透析装置８は、水供給路Ｌ５と連通した流路Ｌ１１、該流路Ｌ１１を開閉する電磁バルブＶ及びダイアライザＫ（血液浄化器）から排出された老廃物等を含んだ透析液を排出する排出路Ｌ１２を具備し、供給された清浄水に所定濃度の透析用原液を混合して透析液を調製した後、その透析液をダイアライザＫに供給し得るよう構成されている。ダイアライザＫは、図示しない血液回路に接続されており、当該血液回路を流れる患者の血液に対して透析治療し得るものである。
【００３２】
透析液供給装置２は、清浄水生成装置１から供給された清浄水を用いて所定濃度の透析液を調製し得るものであり、水供給路Ｌ５から供給される清浄水をその量を計測しつつ導入する水計量シリンダ６ａと、比較的大きな容量の貯槽６ｂとを有して構成されている。水計量シリンダ６ａと貯槽６ｂとの間の流路には、図示しない２つのミキシングチャンバが直列に接続されており、それぞれから透析用原液（Ｂ原液及びＡ原液）が導入されて清浄水と混合し、所定濃度の透析液を調製し得るよう構成されている。
【００３３】
また、貯槽６ｂからは、流路Ｌ６が延設されており、図２に示すように、当該流路Ｌ６が流路Ｌ８を介して複数の透析用監視装置１０と接続されている。一方、この流路Ｌ６は、流路Ｌ７と共に第２循環流路を構成しており、透析液供給装置６から送液された熱水消毒液が当該第２循環流路にて循環され得るよう構成されている。尚、図中符号Ｇは、逆止弁を示している。
【００３４】
更に、第２循環流路を構成する流路Ｌ７には、ポンプＰ３、及び保温手段としてのヒータ１１が接続されており、ヒータ１１と逆止弁Ｇとの間から延設する廃液路Ｌ７ａには電磁バルブＶが接続されている。尚、透析治療時においても、ポンプＰ３が運転するため、透析液供給装置６から送液された透析液は、循環しながら流路Ｌ６から各透析用監視１０に至ることとなる。
【００３５】
しかして、第２循環流路が、透析治療時に透析液が流通する流路（具体的には、流路Ｌ６）を含んでいるため、消毒時、熱水消毒液の循環過程でその流路を除菌して消毒することができる。また、熱水消毒液は、第２循環流路を循環して除菌しつつ、ヒータ１１にて加温されており、所定温度（約８０℃以上）に保持されるよう構成されている。これにより、時間経過に伴って熱水消毒液としての熱水が低温となり、消毒作用（除菌効果）が劣化してしまうのを回避することができる。
【００３６】
透析用監視装置１０は、患者に透析治療を施すためのダイアライザＫ（血液浄化器）に応じて複数（本実施形態においては５つ）設置され、透析液供給手段２で調製された透析液を各ダイアライザＫに供給するためのものであり、流路Ｌ８を介して送液された透析液をダイアライザＫに供給するとともに、当該ダイアライザＫの浄化作用により老廃物等を含んだ透析液が外部に排出されるよう構成されている。
【００３７】
制御手段９は、清浄水生成装置１及び各被供給装置２と電気的に接続されて、これら装置の運転状態を検出するとともに、熱水消毒液による消毒時、当該清浄水生成装置１の運転と各被供給装置２の運転とを連携させるための情報（制御信号等）を送受信可能とされたものである。これにより、透析治療から清浄水による洗浄工程、及び熱水消毒液による消毒工程に移行するタイミングを制御することができ、システムの自動化を図ることができる。
【００３８】
次に、上記透析治療用システムの消毒方法について説明する。
複数の透析用監視装置１０の全ての透析治療、透析液供給装置６による透析液調製動作、溶解装置７による溶解動作、及び個人用透析装置８による透析治療が終了すると、その終了信号が制御手段９に伝達され、消毒動作への移行が可能であることが認識されるとともに、制御手段９から清浄水生成装置１に対して制御信号が送信され、熱水消毒液の生成を指示する。
【００３９】
清浄水生成装置１が制御信号を受信すると、ポンプＰ１を駆動させて貯槽４内の清浄水を第１循環流路にて循環させるとともに、ヒータ５を作動させて循環する清浄水を加熱して熱水とすることにより、熱水消毒液を生成する。このとき、透析液供給装置６、溶解装置７及び個人用透析装置８が停止した状態となっているため、循環する清浄水や熱水消毒液はそれら装置側には流れない。
【００４０】
第１循環流路を循環する熱水消毒液が、所定温度（例えば８０℃）以上となったことを図示しないセンサが検知すると、その信号が制御手段９に送信される。各被供給装置２は、信号を受信すると消毒動作を開始し（又は電磁バルブＶが開けられ）、水供給路Ｌ５を介して各被供給装置２に熱水消毒液が供給されることとなる。
【００４１】
透析液供給装置６においては、水計量シリンダ６ａが駆動して貯槽６ｂに熱水消毒液を収容させた後、その熱水消毒液を当該貯槽６ｂ上部に形成オーバーフローライン（不図示）等で流動させて消毒するとともに、流路Ｌ６から排出する。これにより、透析液供給装置６内における清浄水及び透析液が流通する流路を熱水消毒液の熱により除菌して消毒することができる。個人用透析装置８においても同様、バルブＶを開けることにより、熱水消毒液が流路Ｌ１１や排出路Ｌ１２等の清浄水や透析液が流通する流路を流れるので、その流路を熱水消毒液の熱により除菌して消毒することができる。
【００４２】
然るに、内部に耐熱性に乏しい流路を有する装置（本実施形態においては溶解装置７）においては、流路Ｌ９の電磁バルブＶを閉じるとともに廃液路Ｌ５ａの電磁バルブＶを開け、当該廃液路Ｌ５ａから熱水消毒液を外部に排出して溶解装置７内部に導入しないよう構成されている。このように、廃液路Ｌ５ａから熱水消毒液を排出しても、当該廃液路Ｌ５ａの合流点までの水供給路Ｌ５を消毒することができる。尚、溶解装置７内部において耐熱性に乏しい流路等がない場合は、当該溶解装置７内の流路（清浄水及び透析用原液が流通する流路）に熱水消毒液を流し、消毒するよう構成するのが好ましい。
【００４３】
一方、透析液供給装置６と透析用監視装置１０とを連通する流路Ｌ６の消毒においては、透析用監視装置１０を停止させておき流路Ｌ８からの流入を遮断するとともに、流路Ｌ７における電磁バルブＶを開けた状態としてポンプＰ３を駆動させる。これにより、貯槽６ｂ内の熱水消毒液が流路Ｌ６に至り、流路Ｌ７を流れた後、廃液路Ｌ７ａから外部に排出される。貯槽６ｂ内の熱水消毒液が流路Ｌ６及び流路Ｌ７内に至り、それら流路が洗浄水から熱水消毒液に置き換わった時点で電磁バルブＶを閉じ、第２循環流路を形成する。
【００４４】
そして、ポンプＰ３を駆動させつつヒータ１１を作動させて、第２循環流路にて熱水消毒液を循環させる。かかる熱水消毒液の循環過程で、透析治療時に透析液が流通する流路（流路Ｌ６）を消毒するとともに、ヒータ１１にて熱水消毒液が加温され、所定温度（約８０℃以上）に保持される。以上の如き流路Ｌ６の消毒が終了すると、透析用監視装置１０を駆動させ、流路Ｌ８から当該透析用監視装置１０内に熱水消毒液を流入させる。これにより透析用監視装置１０内における透析液が流通する流路の消毒を行うことができる。
【００４５】
上記実施形態によれば、熱水消毒液にて消毒するため、たとえ流路に当該熱水消毒液が残留したとしても人体に影響がなく、透析治療時の安全性を向上させることができるとともに、清浄水生成装置１で熱水消毒液を生成し、その熱水消毒液を水供給路Ｌ５を介して被供給装置２に送り、当該被供給装置２を消毒するので、消毒動作の自動化を容易とすることができる。
【００４６】
また、清浄水生成装置１にて生成した清浄水を第１循環流路にて循環させつつヒータ５にて加熱して熱水消毒液を生成するので、効率よく熱水消毒液を生成することができる。更に、制御手段９により清浄水生成装置１及び被供給装置２の各運転状態を検出するとともに、熱水消毒液による消毒時、当該清浄水生成装置１の運転と被供給装置２の運転とを連携させるための情報を送受信するので、効率のよい消毒動作を行わせることができる。
【００４７】
特に本実施形態によれば、清浄水生成装置１で生成された熱水消毒液を透析液供給装置６、透析用監視装置１０に順次送液するので、熱水消毒液の使用量を更に抑制しつつ、より効率的に消毒動作を行わせることができる。然るに、透析液供給装置６と透析用監視装置１０との間の第２循環流路にて熱水消毒液を循環させるとともに、その循環する熱水消毒液をヒータ１１にて加温して所定温度（約８０℃以上）に保持するので、透析用監視装置１０に送液される熱水消毒液の温度が低下して消毒作用が劣化してしまうのを回避することができる。
【００４８】
次に、本発明の第２の実施形態に係る透析治療用セントラルシステムについて説明する。
本透析治療用システムは、第１の実施形態と同様、透析用原液（Ａ原液及びＢ原液）を作製又は透析液（Ａ液及びＢ液）を調製し得るものであり、図３に示すように、クエン酸供給手段を具備した清浄水生成装置１と、透析液供給装置６（多人数用透析液供給装置）、溶解装置７及び個人用透析装置８から成る被供給装置２と、制御手段９とから主に構成されている。尚、第１の実施形態と同様の構成要素には同一の符号を付し、その詳細な説明を省略する。
【００４９】
清浄水生成装置１における第１循環流路は、クエン酸供給手段としての導入路Ｌ１３と、該導入路Ｌ１３の途中に接続されたポンプＰ２とを具備しており、ポンプＰ２を駆動させることにより当該第１循環流路（流路Ｌ４）にクエン酸を供給し得るよう構成されている。これにより、モジュール３にて生成されて貯槽４に収容された清浄水が第２循環流路を循環する過程で、クエン酸が混合されるようになっている。
【００５０】
即ち、制御手段９により清浄水生成装置１に対して熱水消毒液の生成が指示されると、ポンプＰ１が駆動して貯槽４内の清浄水が第１循環流路を循環し、その過程でクエン酸が混合されるとともに、ヒータ５にて所定温度（約８０℃以上）まで加熱されて熱水消毒液としてのクエン酸熱水が生成されるのである。かかるクエン酸熱水は、第１の実施形態の如く各被供給装置２に供給され、それら装置内の流路（清浄水や透析液或いは透析用原液等が通過する流路）を通過しつつ除菌して消毒することとなる。
【００５１】
このように、循環する清浄水にクエン酸を供給して熱水消毒液としてのクエン酸熱水を生成するので、単一種類の消毒液にて流路の消毒に加え炭酸カルシウム除去を行うことができるとともに、次亜塩素酸ナトリウム等人体に影響のある物質の残留の虞がなく、透析治療時の安全性をより向上させることができる。また、クエン酸熱水の熱による消毒（第１実施形態の如く熱水による消毒も同様）のため、流路内を流れる液体の温度管理を行うことで消毒液が流れているか否かの検出を行うことができる。
【００５２】
以上、本実施形態について説明したが、本発明はこれらに限定されるものではなく、例えば清浄水生成装置１にて生成された清浄水が供給される被供給装置２として、清浄水を用いて所定濃度の透析液の調製又は透析用原液の作製を行い得る他の装置としてもよい。また、各被供給装置（透析液供給装置６、透析用監視装置１０、溶解装置７又は個人用透析装置８）内において熱水消毒液を循環させ消毒するよう構成してもよい。
【００５３】
更に、本実施形態においては、制御手段９を介して信号の送受を行って各装置の運転を連携させているが、当該制御手段９を介さず直接制御信号等の送受を行い、それに基づいて各装置の運転を連携させるよう構成してもよい。特に、第２の実施形態においては、クエン酸供給手段（ポンプＰ２、導入路Ｌ１３）が第１循環流路（具体的には流路Ｌ４の下流側）に接続されているが、他の部位（例えば、流路Ｌ２又はＬ３或いは貯槽４等）に接続してもよい。尚、第２循環流路を廃して流路Ｌ８に透析液を送液し得る流路６のみとしてもよい。
【００５４】
また更に、熱水又はクエン酸熱水の如き熱水消毒液による消毒と、従来の如き次亜塩素酸ナトリウム等による消毒とを併用してもよく、例えば通常時は熱水消毒液による消毒を行い、定期的（数ヶ月毎等）に次亜塩素酸ナトリウム等による消毒を行うようにしてもよい。
【産業上の利用可能性】
【００５５】
清浄水生成装置が熱水消毒液を生成する熱水消毒液生成手段を具備し、当該熱水消毒液生成手段にて生成された熱水消毒液を水供給路を介して被供給装置に供給する透析治療用システム及びその消毒方法であれば、透析液を調製及び透析用原液を作製し得るものであって消毒が必要な他の形態のものにも適用することができる。
【図面の簡単な説明】
【００５６】
【図１】本発明の第１の実施形態に係る透析治療用システム全体を示す概要図
【図２】同透析治療用システムにおける透析液供給装置及び透析用監視装置を示す模式図
【図３】本発明の第２の実施形態に係る透析治療用システム全体を示す概要図
【符号の説明】
【００５７】
１    清浄水生成装置
２    被供給装置
３    モジュール
４    貯槽
５    ヒータ（加熱手段）
６    透析液供給装置（多人数用透析液供給装置）
７    溶解装置
８    個人用透析装置
９    制御手段
１０  透析用監視装置
１１  ヒータ（保温手段）
Ｌ３、Ｌ４  第１循環流路
Ｌ６、Ｌ７  第２循環流路
Ｌ１３、Ｐ２  クエン酸供給手段
Ｋ    ダイアライザ（血液浄化器）
【図１】
2008023325.tif 000003
【図２】
2008023325.tif 000004
【図３】
2008023325.tif 000005